(57)【要約】【課題】  セファロＸ線撮影において被検者の位置決めを行う時、小児撮影の際にも写り込まない位置で固定されたバックレストを使用し被検者の背面を固定している。また正面、側面、体軸の全ての撮影において同一のバックレストを使用している。、セファロＸ線撮影における正面、側面、体軸の撮影で被検者の位置決めを任意の位置でサポートできるバックレスト及びヘッドレストを有するセファロＸ線装置の提供を目的とする。【解決手段】  セファロＸ線撮影装置において、正面・側面撮影時及び体軸撮影時にそれぞれ被検者の位置決めを任意の位置でサポートできるヘッドレスト及びバックレストによる位置決め手段を設けバックレストの上下動のロック及びロック解除が電動または手動で行うことが出きる機構を有し、また電動及び手動にて任意の位置に移動でき手動時においてロックを解除しても下降しない機構を有する。【選択図】図１
2007307033.tif 000002
【特許請求の範囲】
【請求項１】
歯科矯正領域で用いられるイヤーロッドを基準として、被検者の頭部を位置決めし被検者頭部の例えば、正面・側面方向の規格撮影を行う、所謂、セファロＸ線撮影装置において、それぞれ被検者頭部の位置決めを任意の位置でサポートできる可動式のヘッドレスト及びバックレストによる位置決め手段を付加したことを、特徴とするセファロＸ線撮影装置。
【請求項２】
前記位置決め手段に用いるバックレストの上下動のロック及びロック解除が電動または手動で行うことが出きる機構を有することを、特徴とする請求項１に記載のセファロＸ線撮影装置。
【請求項３】
前記位置決め手段に用いるバックレストが、電動及び手動にて任意の位置に移動できる機構を有することを、特徴とする請求項２に記載のセファロＸ線撮影装置。
【請求項４】
前記位置決め手段に用いるバックレストの上下動が、手動時においてロックを解除しても下降しない機構を有することを、特徴とする請求項３に記載のセファロＸ線撮影装置。
【発明の詳細な説明】
【技術分野】
【０００１】
本発明は、セファロＸ線撮影装置の改良に関する。
【０００２】
更に詳しくは、セファロＸ線撮影装置の被検者の位置決めに関する。
【背景技術】
【０００３】
従来、正面、側面方向のセファロＸ線撮影において頭部固定装置にて被検者の頭部位置決めを行う時、小児撮影の際にも写り込まない位置で固定されたバックレストを使用し被検者の背面を固定している。また体軸方向の撮影の際、座位の状態で天井を向きイヤーロッドで固定される被検者に対して後頭部を支持するものはなく、体勢の負担を強いられている。かつ正面、側面、体軸の全ての撮影において同一のバックレストを使用しており被検者の体勢の負担を軽減する有効な位置決め手段がないのが現状である。
【発明の開示】
【発明が解決しようとする課題】
【０００４】
セファロＸ線撮影において被検者の頭部位置決めを行う時、小児撮影の際にも写り込まない位置で固定されたバックレストを使用し被検者の背面を固定している。また正面、側面、体軸の全ての撮影において同一のバックレストを使用している。体軸撮影では、座位の状態で天井を向きイヤーロッドで固定され体勢の負担が大きい被検者に対して後頭部を支持して負担を軽減し体勢を安定させるためのヘッドレストが必要となる。
【０００５】
本発明は、上記した問題点に鑑みなされたもので、セファロＸ線撮影における正面、側面、体軸の撮影で被検者の頭部位置決めを任意の位置でサポートできるバックレスト及び体軸撮影時に座位の状態で天井を向きイヤーロットで固定される被検者の体勢の負担を軽減させるヘッドレストを有する装置の提供を目的とする。
【課題を解決するための手段】
【０００６】
請求項１に記載の発明は、歯科矯正領域で用いられるイヤーロッドを基準として、被検者の頭部を位置決めし撮影を行う、所謂、セファロＸ線撮影装置において、正面、側面撮影時及び体軸撮影時にそれぞれ被検者頭部の位置決めを任意の位置でサポートできる可動式のヘッドレスト及びバックレストによる位置決め手段を付加したことを特徴とする。
【０００７】
請求項２に記載の発明は、請求項１に記載の発明に於いて前記位置決め手段に用いる可動式のバックレストの上下動のロック及びロック解除が電動または手動で行うことが出きる機構を有することを特徴としている。
【０００８】
請求項３に記載の発明は、請求項１〜２に記載の発明に於いて、前記位置決め手段に用いる可動式のバックレストが、電動及び手動にて任意の位置に移動できる機構を有することを特徴としている。
【０００９】
請求項４に記載の発明は、請求項１〜３に記載の発明に於いて、前記位置決め手段に用いる可動式のバックレストの上下動は、手動時においてロックを解除しても下降しない機構を有することを特徴としている。
【発明の効果】
【００１０】
上記したセファロＸ線撮影装置において正面、側面撮影時には、被検者頭部の位置決め手段である上下可動型バックレストを有することにより、被検者のやや下方背面をサポートし、体軸撮影時には被検者のやや上方背面をサポートすることで被検者への体勢の負担を大幅に軽減できる。
【００１１】
しかも、バックレストは術者が上下動のロック及びロック解除を電動あるいは手動にて容易に行うことができる機構を有しており、かつバックレストは手動及び電動により任意の位置に移動可能であり、これは撮影時バックレストを写り込まない位置に簡単に移動できる。さらに手動による上下動ではバックレストのバランスが保たれているため、ロックを解除してもバックレストは降下しない。このことから術者に対する負担も軽減できる効果を有する。また体軸撮影時には、座位の状態で天井を向きイヤーロッドで固定される被検者に対してヘッドレストが被検者の後頭部を支持するため被検者の体勢の負担が大幅に軽減される。
【発明を実施するための最良の形態】
【００１２】
以下に、図面に従って本発明の実施態様について説明する。
【実施例】
【００１３】
図１は、本発明の頭部固定装置による小児の正面・側面撮影及び体軸撮影時の頭部位置決めを示す一実施例である。また図２は、本発明の頭部固定装置による成人の正面・側面撮影及び体軸撮影時の頭部位置決めを示す一実施例である。図中、１はイヤーロッド、２はバックレスト、３はヘッドレスト、４はバックレスト上下動機構、１０は椅子上下動スイッチ、１１は椅子を示している。図３は、バックレスト上下動機構４の詳細図で６は定荷重バネ、３はヘッドレストでバックレスト２に取り付けられておりヘッドレストロック用ノブ１２の開閉により角度の調整及び図示しないが若干の上下動の調整も可能である。また図４は、ロック機構５の詳細図で７はギアー、８はストッパー、９はロック解除用トッテである。
【００１４】
図１及び図２は、手動によるバックレスト上下動機構４及びロック機構５を有した頭部固定装置を示している。図１、図３及び図４において、小児の正面・側面撮影時には、椅子上下動スイッチ１０により椅子１１の上下調整を行い被検者を最適の撮影位置に配置する。またイヤーロッド１で被検者の頭部を固定し、かつバックレスト２により被検者の背面を固定している。この時バックレスト２は、図１のような位置で図４（ａ）に示すロック機構５により固定されている。
【００１５】
次に小児の体軸撮影時では、同じく椅子上下動スイッチ１０により椅子１１の上下調整を行い被検者を最適の撮影位置に配置してイヤーロッド１で被検者の頭部を固定し、図４（ｂ）に示すようにロック解除用トッテ９を上方に引き上げることによりロックを解除してバックレスト２を上方に移動させ最適の位置でロック解除用トッテ９を離すと、その位置でバックレスト２は固定され被検者の背面を固定する。なおこの位置でロックが解除されてもバックレスト２は下降しないように図３（ａ）及び図３（ｂ）に示す定荷重バネ６によりバランスが保たれている。この時、図１からわかるように被検者は座位の状態で天井を向きイヤーロッド１で頭部を固定されているため体勢の負担が大きい。
【００１６】
これを改善するため、図３のようにバックレスト２に取り付けられバックレスト２の上下動と連動して動くヘッドレスト３により、ヘッドレスト３の角度／上下を調整するためのヘッドレストロック用ノブ１２の開閉を調整して、図１のように被検者の後頭部にヘッドレスト３が当たるように固定することにより被検者の体勢の負担を大幅に軽減することができる。また定荷重バネ６によりバックレスト２の上下動のバランスが保たれているため、術者によるバックレスト２の上下動時においても術者に対する負荷が軽く術者の負担が軽減される。
【００１７】
図２において成人の体軸撮影でも、小児の体軸撮影と同様にヘッドレスト３により、ヘッドレスト３の角度／上下を調整するためのヘッドレストロック用ノブ１２の開閉を調整して被検者の後頭部にヘッドレスト３が当たるように角度及び上下高さを調整し固定することにより被検者の体勢の負担を大幅に軽減している。
【００１８】
図３は、本発明のバックレスト上下動機構４の一実施例であり手動によりバックレスト２の上下動を行ったとき、バックレスト２は、定荷重バネ６により任意の場所で止まり、止まった場所で下降することなく上下動のバランスを保っている。これは、撮影時にバックレスト２を写り込まない場所に簡単に移動できることを意味している。
【００１９】
また図４は、本発明のロック機構５の一実施例であり図のようにギアー７及びストッパー８によるロック機構５により任意の場所でバックレスト２のロックが可能である。ロックは、図４（ａ）のようにロック解除用トッテ９を離した時にギアー状になったストッパー８が矢印Ｂの方向に移動してギアー７にくい込む形でロックがかかるようになっている。またロック解除は、図４（ｂ）からロック解除用トッテ９を引き上げる（矢印Ａの方向）ことによりストッパー８が矢印Ｂの方向に移動してストッパー８がギアー７から外れる。これによりバックレスト２の上下動が可能になる。
【００２０】
ここではバックレスト２の上下動が手動で行われるようになっているが、この上下動をモータを使用して電動で行うことも可能であることは言うまでもない。
【図面の簡単な説明】
【００２１】
【図１】本発明の頭部固定装置による小児の頭部位置決めを示す一実施例
【図２】本発明の頭部固定装置による成人の頭部位置決めを示す一実施例
【図３】（ａ）は本発明のバックレスト上下動機構の一実施例でバックレストを引き            上げた時の状態図、（ｂ）はバックレストを引き下げた時の状態図
【図４】（ａ）は本発明のロック機構の一実施例で（ｂ）はロックを解除する場合の            状態図
【符号の説明】
【００２２】
１  イヤーロッド
２  バックレスト
３  ヘッドレスト
４  バックレスト上下動機構
５  ロック機構
６  定荷重バネ
７  ギアー
８  ストッパー
９  ロック解除用トッテ
１０  椅子上下動スイッチ
１１  椅子
１２  ヘッドレストロック用ノブ
【図１】
2007307033.tif 000003
【図２】
2007307033.tif 000004
【図３】
2007307033.tif 000005
【図４】
2007307033.tif 000006